(57)【特許請求の範囲】
【請求項１】
薬剤容器に貼着するための薬剤情報表示ラベルであって、
前記薬剤情報表示ラベルは、薬剤容器に貼付するための下側シートと、前記下側シートの表面を部分的もしくは全体的に被覆し、剥離可能かつ剥離後に、投与容器に貼付可能である上側シートとを備え、
前記上側シートは、前記下側シートからの剥離前は視認困難であり、剥離後視認可能となる上側シート側使用状況表示を備えることを特徴とする薬剤容器貼着用薬剤情報表示ラベル。
【請求項２】
前記上側シート側使用状況表示は、薬剤が配合されたことを表示する文字情報である請求項１に記載の薬剤容器貼着用薬剤情報表示ラベル。
【請求項３】
前記上側シート側使用状況表示は、透明部に囲まれた着色文字情報または着色部に設けられた透明の文字情報を備え、
前記下側シートは、前記下側シートから剥離される前の前記上側シートの前記上側シート側使用状況表示の下部に位置し、前記文字情報の視認を妨げる視認規制部を備えている請求項１に記載の薬剤容器貼着用薬剤情報表示ラベル。
【請求項４】
前記視認規制部は、前記文字情報の色と識別困難な色となっている請求項３に記載の薬剤容器貼着用薬剤情報表示ラベル。
【請求項５】
前記上側シートは、表面に前記薬剤容器内に収納される薬剤に関する情報を記載した上側シート側薬剤情報表示を備えている請求項１ないし４のいずれかに記載の薬剤容器貼着用薬剤情報表示ラベル。
【請求項６】
前記下側シートは、前記下側シートから剥離される前の前記上側シートの前記上側シート側使用状況表示の下部に設けられた剥離可能印刷部を有し、前記上側シート側使用状況表示は、前記上側シートの剥離時に、前記剥離可能印刷部より必要な文字情報を剥離するものである請求項２に記載の薬剤容器貼着用薬剤情報表示ラベル。
【請求項７】
前記下側シートは、前記上側シートの剥離後に視認可能となり、かつ、薬剤が使用されたことを推認可能な下側シート側使用状況表示を備えている請求項１ないし６のいずれかに記載の薬剤容器貼着用薬剤情報表示ラベル。
【請求項８】
前記下側シート側使用状況表示は、薬剤が使用されたことを表示する文字情報である請求項７に記載の薬剤容器貼着用薬剤情報表示ラベル。
【請求項９】
前記下側シートは、表面に前記薬剤容器内に収納される薬剤に関する情報を記載した下側シート側薬剤情報表示を備えている請求項１ないし８のいずれかに記載の薬剤容器貼着用薬剤情報表示ラベル。
【請求項１０】
容器本体部と、前記容器本体部内に収納された薬剤とを有する薬剤収納済み薬剤容器と、前記薬剤容器に貼付された請求項１ないし９のいずれかに記載の薬剤容器貼着用薬剤情報表示ラベルとからなるラベル保有薬剤充填済み薬剤容器。
【請求項１１】
前記薬剤収納済み薬剤容器は、前記容器本体部が備える開口部を封止する封止部を備え、前記封止部は、穿刺部材が穿刺可能な弾性シール部材を備え、前記薬剤容器貼着用薬剤情報表示ラベルは、前記容器本体部の先端側に位置する剥離を促す剥離促進表示を備えている請求項１０に記載のラベル保有薬剤充填済み薬剤容器。
【請求項１２】
前記容器本体部は、開口先端部を備える筒状本体部であり、前記薬剤収納済み薬剤容器は、前記容器本体部の前記開口先端部を封止する封止部と、前記筒状本体部を液密状態にて摺動可能なガスケットとを備え、前記薬剤容器貼着用薬剤情報表示ラベルは、前記容器本体部の先端側に位置する剥離を促す剥離促進表示を備えている請求項１０に記載のラベル保有薬剤充填済み薬剤容器。
【請求項１３】
前記剥離促進表示は、当該部位まで前記ガスケットが移動することにより、視認容易もしくは視認可能となるものである請求項１２に記載のラベル保有薬剤充填済み薬剤容器。
【請求項１４】
前記薬剤容器貼着用薬剤情報表示ラベルの前記下側シートは、配合前における前記ガスケットの配置位置に設けられた配合前であることを示す配合前表示を備え、前記配合前表示は、前記ガスケットにより視認が補助されている請求項１２または１３に記載のラベル保有薬剤充填済み薬剤容器。
【請求項１５】
前記下側シートは、前記ガスケット上に位置するように設けられた下側シート側使用状況表示を備え、前記下側シート側使用状況表示は、前記ガスケットが位置する状態では、視認困難で、前記ガスケットが移動することにより、視認可能なものとなっている請求項１２または１３に記載のラベル保有薬剤充填済み薬剤容器。
【発明の詳細な説明】
【技術分野】
【０００１】
本発明は、薬剤容器貼着用薬剤情報表示ラベルおよびそれを備えた薬剤充填済み薬剤容器に関する。
【背景技術】
【０００２】
薬剤を収納した薬剤容器では、収容されている薬剤の使用、未使用を明確かつ容易に把握できることが望ましい。例えば、麻酔科領域においては、薬剤として劇薬や毒薬等を使用される機会が多く、また、即断と即決が要求されるケースが多い。また、薬剤は、静注、点滴静注が主体であるため、有効成分が直接体循環血中に入り薬効を現すことから、誤薬・誤投与は患者に著しい悪影響を及ぼすため、慎重な対策が必要である。
例えば、予め薬剤を収納したバイアルを用意し、別途に用意される、生理食塩水等の希釈液を充填済みのプレフィルドシリンジにバイアル内の薬剤を配合して投与する場合があるが、バイアル内の薬剤を配合済みでないにもかかわらず投与をしてしまうなどの誤投与のおそれがある。
【０００３】
このような誤投与等を防止するラベルとして、以下のものが知られている。
特許第５５９７４２４号公報（特許文献１）に記載の薬剤を収容する容器に装着するラベル１は、基層ラベル２と、その一部領域に貼り付けられて薬剤名が記載された小ラベル片３とからなる。容器内の薬剤を溶解して注射する際には、小ラベル片３を剥離して注射器に貼り付ける。基層ラベル２における小ラベル片３が剥離された場所には、薬剤が溶解済みであることを示す文字情報２４が記載されている。
【０００４】
また、実用新案登録第３１４９１５６号公報（特許文献２）が提案されおり、この特許文献２のプレフィルドシリンジ１は、外筒本体部２１の外面に設けられた第１の表示ラベル８１と、第１の表示ラベル８１の外面に貼付された第２の表示ラベルとを有する。第１の表示ラベル８１は、薬剤名記載可能部を備える。第２の表示ラベルは、表面に薬剤溶解液であることの表示部を備え、かつ、第１の表示ラベル８１の薬剤名記載可能部を被覆するように第１の表示ラベル８１の外面に剥離可能に貼付されている。
【０００５】
特許文献１および特許文献２のものは、小ラベル片３が基層ラベル２から、また第２の表示ラベルが第１の表示ラベル８１から、それぞれ剥離して他の容器等（例えば、プレフィルドシリンジや点滴用の輸液用バッグ等）に転着が可能に構成されている。そして、小ラベル片３又は第２の表示ラベルによって、基層ラベル２又は第１の表示ラベル８１に記載された溶解済み等の表示を被覆されており、小ラベル片３又は第２の表示ラベルを剥離することにより、溶解済み等の表示による注意喚起を確実かつ容易におこなう。また、剥離した小ラベル片３又は第２の表示ラベルを注射器等に貼付けて「配合済み」などの注意喚起表示を記載可能に構成されている。
【先行技術文献】
【特許文献】
【０００６】
【特許文献１】特許第５５９７４２４号公報
【特許文献２】実用新案登録第３１４９１５６号公報
【発明の概要】
【発明が解決しようとする課題】
【０００７】
上記した従来のものでは、小ラベル片３又は第２の表示ラベルを剥離することにより、基層ラベル２又は第１の表示ラベル８１において被覆されていた溶解済み等の注意喚起表示を確実かつ簡易に表示させることができるが、剥離されて他の容器類に転着が可能な小ラベル片３又は第２の表示ラベルにおいては、「配合済み」や薬剤名等の注意喚起表示を手書きで追記する必要がある。このため、小ラベル片３又は第２の表示ラベルへの記入作業が煩雑であり、また、記入作業を忘れてしまい配合済み等であったかどうかが不明となるおそれがある。このために前述したような、バイアル内の薬剤を配合済みでないにもかかわらず誤投与をしてしまうなどのおそれがなお残る。
【０００８】
本発明の目的は、薬剤容器用ラベルにおいて、薬剤容器内の薬剤の投与容器への移動を容易かつ確実に確認でき、未移動の注意喚起を促すことができる薬剤容器貼着用薬剤情報表示ラベルおよびそれを備えた薬剤充填済み薬剤容器を提供するものである。
【課題を解決するための手段】
【０００９】
上記目的を達成するものは、以下のものである。
（１）  薬剤容器に貼着するための薬剤情報表示ラベルであって、
前記薬剤情報表示ラベルは、薬剤容器に貼付するための下側シートと、前記下側シートの表面を部分的もしくは全体的に被覆し、剥離可能かつ剥離後に、投与容器に貼付可能である上側シートとを備え、
前記上側シートは、前記下側シートからの剥離前は視認困難であり、剥離後視認可能となる上側シート側使用状況表示を備える薬剤容器貼着用薬剤情報表示ラベル。
【００１０】
（２）  前記上側シート側使用状況表示は、薬剤が配合されたことを表示する文字情報である上記（１）に記載の薬剤容器貼着用薬剤情報表示ラベル。
（３）  前記上側シート側使用状況表示は、透明部に囲まれた着色文字情報または着色部に設けられた透明の文字情報を備え、前記下側シートは、前記下側シートから剥離される前の前記上側シートの前記上側シート側使用状況表示の下部に位置し、前記文字情報の視認を妨げる視認規制部を備えている上記（１）に記載の薬剤容器貼着用薬剤情報表示ラベル。
（４）  前記視認規制部は、前記文字情報の色と識別困難な色となっている上記（３）に記載の薬剤容器貼着用薬剤情報表示ラベル。
（５）  前記上側シートは、表面に前記薬剤容器内に収納される薬剤に関する情報を記載した上側シート側薬剤情報表示を備えている上記（１）ないし（４）のいずれかに記載の薬剤容器貼着用薬剤情報表示ラベル。
【００１１】
（６）  前記下側シートは、前記下側シートから剥離される前の前記上側シートの前記上側シート側使用状況表示の下部に設けられた剥離可能印刷部を有し、前記上側シート側使用状況表示は、前記上側シートの剥離時に、前記剥離可能印刷部より必要な文字情報を剥離するものである上記（２）に記載の薬剤容器貼着用薬剤情報表示ラベル。
（７）  前記下側シートは、前記上側シートの剥離後に視認可能となり、かつ、薬剤が使用されたことを推認可能な下側シート側使用状況表示を備えている上記（１）ないし（６）のいずれかに記載の薬剤容器貼着用薬剤情報表示ラベル。
（８）  前記下側シート側使用状況表示は、薬剤が使用されたことを表示する文字情報である上記（７）に記載の薬剤容器貼着用薬剤情報表示ラベル。
（９）  前記下側シートは、表面に前記薬剤容器内に収納される薬剤に関する情報を記載した下側シート側薬剤情報表示を備えている上記（１）ないし（８）のいずれかに記載の薬剤容器貼着用薬剤情報表示ラベル。
【００１２】
また、上記目的を達成するものは、以下のものである。
（１０）  容器本体部と、前記容器本体部内に収納された薬剤とを有する薬剤収納済み薬剤容器と、前記薬剤容器に貼付された上記（１）ないし（９）のいずれかに記載の薬剤容器貼着用薬剤情報表示ラベルとからなるラベル保有薬剤充填済み薬剤容器。
【００１３】
（１１）  前記薬剤収納済み薬剤容器は、前記容器本体部が備える開口部を封止する封止部を備え、前記封止部は、穿刺部材が穿刺可能な弾性シール部材を備え、前記薬剤容器貼着用薬剤情報表示ラベルは、前記容器本体部の先端側に位置する剥離を促す剥離促進表示を備えている上記（１０）に記載のラベル保有薬剤充填済み薬剤容器。
（１２）  前記容器本体部は、開口先端部を備える筒状本体部であり、前記薬剤収納済み薬剤容器は、前記容器本体部の前記開口先端部を封止する封止部と、前記筒状本体部を液密状態にて摺動可能なガスケットとを備え、前記薬剤容器貼着用薬剤情報表示ラベルは、前記容器本体部の先端側に位置する剥離を促す剥離促進表示を備えている上記（１０）に記載のラベル保有薬剤充填済み薬剤容器。
（１３）  前記剥離促進表示は、当該部位まで前記ガスケットが移動することにより、視認容易もしくは視認可能となるものである上記（１２）に記載のラベル保有薬剤充填済み薬剤容器。
（１４）  前記薬剤容器貼着用薬剤情報表示ラベルの前記下側シートは、配合前における前記ガスケットの配置位置に設けられた配合前であることを示す配合前表示を備え、前記配合前表示は、前記ガスケットにより視認が補助されている上記（１２）または（１３）に記載のラベル保有薬剤充填済み薬剤容器。
（１５）  前記下側シートは、前記ガスケット上に位置するように設けられた下側シート側使用状況表示を備え、前記下側シート側使用状況表示は、前記ガスケットが位置する状態では、視認困難で、前記ガスケットが移動することにより、視認可能なものとなっている上記（１２）または（１３）に記載のラベル保有薬剤充填済み薬剤容器。
【発明の効果】
【００１４】
本発明の薬剤容器貼着用薬剤情報表示ラベルは、薬剤容器に貼付するための下側シートと、下側シートの表面を部分的もしくは全体的に被覆し、剥離可能かつ剥離後に、投与容器に貼付可能である上側シートとを備える。上側シートは、下側シートからの剥離前は視認困難であり、剥離後視認可能となる上側シート側使用状況表示を備えている。
本発明の表示ラベルは、薬剤を収納した薬剤容器に貼着して使用され、薬剤容器中の薬剤を投与容器への移動作業の終了後、下側シートから上側シートを剥離し、投与容器に貼着することにより、投与容器が上側シートを有するものとすることができる。さらに、貼付された上側シートには、上側シート側使用状況表示が現れているので、投与容器に薬剤が配合されていることを容易に認識できる。また、この表示ラベルでは、上側シート剥離前には、上記の上側シート側使用状況表示は、視認困難であるので、未使用の薬剤容器を使用後のものと誤認することもない。
【図面の簡単な説明】
【００１５】
【図１】図１は、本発明の一実施例の薬剤容器貼着用薬剤情報表示ラベルの正面図である。
【図２】図２は、図１に示した表示ラベルより、上側シートの剥離後における下側シートの正面図である。
【図３】図３は、図１に示した表示ラベルより、剥離された上側シートの正面図である。
【図４】図４は、本発明の他の実施例の薬剤容器貼着用薬剤情報表示ラベルに使用される上側シートの正面図である。
【図５】図５は、本発明の他の実施例の薬剤容器貼着用薬剤情報表示ラベルの正面図である。
【図６】図６は、図５に示した表示ラベルより、上側シートの剥離後における下側シートの正面図である。
【図７】図７は、本発明の他の実施例の薬剤容器貼着用薬剤情報表示ラベルの正面図である。
【図８】図８は、図７に示した表示ラベルより、剥離された上側シートの正面図である。
【図９】図９は、図７に示した表示ラベルより、上側シートの剥離後における下側シートの正面図である。
【図１０】図１０は、本発明の実施例のラベル保有薬剤充填済み薬剤容器の正面図である。
【図１１】図１１は、図１０に示したラベル保有薬剤充填済み薬剤容器の作用を説明するための説明図である。
【図１２】図１２は、本発明の他の実施例のラベル保有薬剤充填済み薬剤容器およびそれに使用される投与容器の正面図である。
【図１３】図１３は、図１２に示したラベル保有薬剤充填済み薬剤容器の拡大縦断面図である。
【図１４】図１４は、図１２に示した投与容器の拡大縦断面図である。
【図１５】図１５は、図１２に示したラベル保有薬剤充填済み薬剤容器および投与容器の作用を説明するための説明図である。
【図１６】図１６は、図１２に示した投与容器の作用を説明するための説明図である。
【図１７】図１７は、本発明の他の実施例のラベル保有薬剤充填済み薬剤容器の正面図である。
【図１８】図１８は、本発明の他の実施例のラベル保有薬剤充填済み薬剤容器の正面図である。
【図１９】図１９は、本発明の他の実施例のラベル保有薬剤充填済み薬剤容器の正面図である。
【図２０】図２０は、図１９に示した薬剤容器の作用を説明するための説明図である。
【図２１】図２１は、本発明の他の実施例のラベル保有薬剤充填済み薬剤容器の正面図である。
【図２２】図２２は、図２１に示した薬剤容器より、上側シートを剥離した状態を示す図である。
【図２３】図２３は、図２１に示した薬剤容器の作用を説明するための説明図である。
【図２４】図２４は、本発明の他の実施例のラベル保有薬剤充填済み薬剤容器の正面図である。
【図２５】図２５は、図２４に示した薬剤容器の作用を説明するための説明図である。
【図２６】図２６は、本発明の他の実施例のラベル保有薬剤充填済み薬剤容器の正面図である。
【発明を実施するための形態】
【００１６】
本発明の表示ラベルを図面に示す実施例を用いて説明する。
本発明の薬剤容器貼着用薬剤情報表示ラベル１は、薬剤容器に貼付するための下側シート２と、薬剤容器に貼付するための下側シート２と、下側シート２の表面を部分的もしくは全体的に被覆し、剥離可能かつ剥離後に、投与容器に貼付可能である上側シート３と備える。
【００１７】
上側シート３は、下側シート２からの剥離前は視認困難で剥離後視認可能となる上側シート側使用状況表示３３とを備えている。
図１ないし図３に示すように、この実施例の薬剤容器貼着用薬剤情報表示ラベル１は、下側シート２と、下側シート２の表面に貼付された上側シート３とからなる。下側シート２は、下面に薬剤容器貼付用の粘着面を備えるフィルム状のものとなっている。
【００１８】
上側シート３は、下面に下側シート２の表面への貼付用の粘着面（図示せず）を備え、この粘着面は、下側シートからの剥離が可能であり、かつ剥離後においても粘着性が維持されるものとなっている。このため上側シート３は、剥離可能かつ剥離後に、投与容器に貼付可能となっている。粘着面としては、感圧接着剤などの粘着性物質が使用できる。また、粘着面は、このような粘着性物質を下面にパートコートすることにより、剥離可能かつ再貼付可能に構成されたものであってもよい。上側シート３は、下側シート２から剥離した後、別の場所に再度貼り付けること、いわゆる転着可能なものとなっている。
【００１９】
そして、この実施例のラベル１では、図１に示すように、下側シート２は、その表面が、全体的ではなく部分的に、上側シート３により被覆されている。このため、下側シート２は、露出部を備えており、この露出部に、薬剤容器内に収納される薬剤に関する情報を記載した下側シート側薬剤情報表示２２が設けられている。そして、この実施例では、下側シート側薬剤情報表示２２には、薬剤名と薬剤量が表示されている。なお、この情報表示２２には、さらに必要な記載、例えば、薬剤の種類、投与タイプなどが表示されていてもよい。
【００２０】
また、この実施例のラベル１では、図１および図３に示すように、上側シート３は、下側シート２を部分的に、被覆している。そして、上側シート３は、表面に、上側シート側薬剤情報表示３２が設けられている。そして、この実施例では、上側シート側薬剤情報表示３２には、薬剤名と薬剤量が表示されている。なお、この情報表示３２には、さらに必要な記載、例えば、薬剤の種類、投与タイプなどが表示されていてもよい。
【００２１】
そして、この実施例のラベル１では、図２に示すように、下側シート２は、上側シート３に被覆された表面部位に設けられた下側シート側使用状況表示２４を備えている。下側シート側使用状況表示２４は、上側シート３の剥離前には、視認不能であり、剥離後に露出し視認可能となる。そして、下側シート側使用状況表示２４は、薬剤が使用されたことを推認可能な表示となっており、具体的には、薬剤が使用済みであることを示す文字表示（例えば、「使用済み」）が使用されている。また、上側シート３のベース部３１の少なくとも上記の下側シート側使用状況表示２４を被覆する部分は、透視不能なものとなっている。
【００２２】
また、この実施例のラベル１では、図３に示すように、上側シート３は、上側シート側使用状況表示３３を備えている。そして、この上側シート側使用状況表示３３は、下側シート２からの剥離前は視認困難であり、剥離後において視認可能なものとなっている。そして、上側シート側使用状況表示３３は、薬剤が配合されたことを表示する配合情報表示となっており、具体的には、薬剤が配合済みであることを示す文字表示（例えば、「配合済み」）が使用されている。
【００２３】
また、この実施例のラベル１では、上述の上側シート側使用状況表示３３を上側シート剥離前において視認困難なものとするために、上側シート側使用状況表示（配合情報表示）３３は、透明部に囲まれた着色文字情報を備えており、下側シート２は、上側シート３の上側シート側使用状況表示３３の下部に位置し、文字情報の視認を妨げる視認規制部２３を備えている。また、上側シート側使用状況表示３３ａは、図４に示す上側シート３０のように、着色部に透明の文字情報を有するものであってもよい。
【００２４】
視認規制部２３は、例えば、上側シート３の上側シート側使用状況表示３３における文字情報の色と識別困難な色の印刷部（印刷領域）を設けることにより作成される。
この実施例のラベル１では、図２に示すように、下側シート２のベース部２１の上方に上述した下側シート側薬剤情報表示２２が設けられており、この情報表示の下方の一方の側部側に、上述した下側シート側使用状況表示２４が設けられており、他方の側部側に上記の識別困難な色（この例では、所定の単色）により塗りつぶされた視認規制部２３が設けられている。
【００２５】
なお、識別困難な色とは、アメリカ光学会による修正マンセル表色系において、一方のマンセル値表示による色相、明度、彩度の相違が、他方のマンセル値表示による色相及び明度のそれぞれの１．０以内の範囲、彩度の３．０以内の範囲のものを選択することが好ましい。例えば、一方の配色がマンセル値表示（色相 明度／彩度）で７．５ＹＲ ８．０／４．０の場合には、他方の配色は色相が６．５〜８．５ＹＲ、明度が７．０〜９．０、彩度が１．０〜７．０の範囲となるものがここでいう色とすることが好ましい。なお、彩度においては、他方の「３．０以内の範囲」の彩度が、一方の彩度の上限値又は下限値を超えることとなる場合には、その上限値又は下限値の範囲を他方の「彩度の３．０以内の範囲」とする。以下の各実施例においても「識別困難な色」としては、上述のものであることが好ましい。
【００２６】
また、上側シート側使用状況表示３３と下側シート側薬剤情報表示２２は、異なる色に配色されていることが好ましい。このようにすることにより、上記表示の違いを容易に認識することができる。
また、上述した上側シート側使用状況表示３３の色（文字色もしくは透明文字情報を囲む着色部の色）は、上側シート３が転着される使用時における投与容器の色に対して識別が容易なものであることが好ましい。具体的には、上側シート側使用状況表示３３の色は、使用時における投与容器の色とは異なる色（前述したマンセル値表示の範囲から外れる範囲）とされるのが望ましく、さらには補色関係にあるような色とすることが好適である。
【００２７】
そして、この実施例のラベル１では、図１および図３に示すように、上側シート３は、下側シート２に貼付されていないもしくは剥離が極めて容易なものとなっている延出部３４を備えている。この延出部３４は、ベース部３１の側部より外方に突出しており、上側シート３の剥離操作時における把持部として用いられる。具体的には、上側シート３は、図３に示すように、横長の長方形状に形成されたベース部３１と、ベース部３１の左側端部から延設された延出部３４とを備えている。延出部３４には、矢印等を記載し、使用者が摘む部位が認識しやすく、また、剥離する方向を認識しやすくして、上側シート３の剥離作業の利便性を向上させるようにしても良い。
【００２８】
また、下側シート２の裏面は、貼付剤層を備え、さらに、剥離紙が貼られたものが好ましい。また、ラベル（上側シート、下側シート）としては、標準的カラー及び印字可能なフィルム、紙などが使用できる。なお、下側シート２及び上側シート３には、薬剤関連情報の他に、例えば製造会社名、用法、使用期限等を記載することしても良い。また、上側シートおよび下側シートの表示は、各シートの表面に印刷することが好適であるが、裏面に印刷しても良い。
【００２９】
前述した実施例では、下側シート２のベース部２１、下側シート側使用状況表示２４の位置と、上側シート３の上側シート側使用状況表示３３の位置を、前述の通りとしたが、これに限られず、ベース部２１、上側シート側使用状況表示３３とが重なり、及び下側シート側使用状況表示２４が上側シート３に覆われるように、下側シート２上及び上側シート３上において適宜変更して配設しても良い。また、使用状況表示は、表示ラベルの用途によって適宜の言語、種類・内容の表示を選択することができる。また、文字に限らず図形としても良い。
【００３０】
また、上側シートとしては、図５および図６に示すラベル１ａのように、下側シート２のほぼ全面を覆うものであってもよい。このラベル１ａの上側シート３ａは、下側シート２の上述した下側シート側薬剤情報表示２２を被覆し、視認不能なものとしている。なお、このラベル１ａでは、上側シート３ａを剥離することにより、図２に示したものと同様に、下側シート２の上述した下側シート側薬剤情報表示２２は、露出し、視認可能となる。
【００３１】
また、薬剤容器貼着用薬剤情報表示ラベルとしては、図７ないし図９に示すようなものであってもよい。
この実施例の薬剤容器貼着用薬剤情報表示ラベル１ｂでは、下側シート２ｂは、上側シート３ｂの上側シート側使用状況表示３３ｂの下部に設けられた剥離可能印刷部２７を有し、上側シート側使用状況表示３３ｂは、上側シート３ｂの剥離時に、剥離可能印刷部２７より必要な文字情報を剥離するものとなっている。そして、上側シート２ｂの上側シート側使用状況表示３３ｂは、図８に示すように、上側シート３ｂの剥離時に、剥離可能印刷部２７より剥離した文字情報により形成される。また、下側シート２ｂの下側シート側使用状況表示は、図９に示すように、上側シート３ｂの剥離時に、剥離可能印刷部２７より剥離された文字情報跡により形成されるものとなっている。
【００３２】
次に、図１０に示すラベル保有薬剤充填済み薬剤容器１０について説明する。
このラベル保有薬剤充填済み薬剤容器１０は、容器本体部１１と、容器本体部内１１に収納された薬剤１３とを有する薬剤収納済み薬剤容器と、薬剤容器に貼付された薬剤容器貼着用薬剤情報表示ラベル１とからなる。なお、薬剤情報表示ラベルとしては、上述したいずれの実施例のものを用いてもよい。図示するものでは、上述したラベル１が用いられている。この薬剤容器１０は、薬剤を収納したバイアル瓶である。
【００３３】
また、この実施例の薬剤収納済み薬剤容器１０では、容器本体部１１が備える開口部を封止する封止部１２を備えている。そして、封止部１２は、穿刺部材が穿刺可能な弾性シール部材１８を備えている。
【００３４】
容器本体部１１としては、開口部を有し、内部に薬剤を収納可能なものであれば、どのようなものであってもよい。例えば、硬質もしくは半硬質合成樹脂製容器、ガラス容器などが使用される。図示する容器本体部１１は、下端が閉塞した筒状部と、肉厚のフランジを有する開口部とを備えている。開口部には、弾性シール部材１８が装着され、さらに、弾性シール部材１８の周縁部を被包する被包部材１９が設けられている。
【００３５】
薬剤１３としては、特に制限されるものではないが、例えば、白金系抗癌剤、インスリン等のタンパク質製剤、ニトログリセリン、硝酸イソソルビド、塩酸ニカルジピン、グリチルリチン酸モノアンモニウム、タンパク製剤、抗腫瘍剤、ビタミン剤（総合ビタミン剤）、各種アミノ酸、ヘパリンのような抗血栓剤、インシュリン、抗生物質、抗腫瘍剤、鎮痛剤、強心剤、静注麻酔剤、抗パーキンソン剤、潰瘍治療剤、副腎皮質ホルモン剤、不整脈用剤等が挙げられる。また、薬剤の剤型も特に限定されるものではなく、液状薬剤、粉末状薬剤、凍結乾燥薬剤、固形状薬剤などどのようなものであってもよい。
【００３６】
そして、容器本体部１１の正面には、上述のラベル１が貼付されている。
図１および図１０に示すように、ラベル１より、上側シート側薬剤情報表示３２と下側シート側薬剤情報表示２２の両者が視認可能であるが、上側シート側使用状況表示３３および下側シート側使用状況表示２４のいずれも視認不能な状態となっている。
【００３７】
図１０に示すように、表示ラベル１は、下側シート２に上側シート３が貼り付けられた状態で、予め薬剤容器１０の側部に貼着されている。上側シート３が下側シート２を被覆する状態では、上側シート側使用状況表示３３（「配合済み」の文字）は、透過される下側シート２の識別規制部２３により、使用者は十分に認識できない。また、下側シート側使用状況表示２４（「使用済み」の文字）は上側シート３のベース部３１により被覆されているので使用者は視認することができない。よって、使用者は薬剤容器１０が未使用状態であることを認識し得る。
【００３８】
そして、図１１に示すように、先端に穿刺部材（具体的には、注射針１４）が装着され、内部に希釈液（例えば、注射用水、生理食塩水）が充填されたシリンジ５０を準備し、これを上記の薬剤容器１０に接続（具体的には、注射針１４を弾性シール部材１８に穿刺する。そして、薬剤容器１０内の薬剤をシリンジに吸引して、薬剤容器１０内の薬剤をシリンジ５０の希釈液に混合する。薬剤を混合した後、薬剤容器より、上側シート３を剥離し、シリンジ５０の外筒の側面に貼付する。これにより、上側シート側薬剤情報表示３２と上側シート側使用状況表示３３（具体的には、「配合済み」）を有する上側シートが貼付された薬剤充填済みシリンジが準備される。また、薬剤が排出された薬剤容器１０には、下側シート側薬剤情報表示２２と下側シート側使用状況表示２４（具体的には、「使用済み」）を有する下側シート３が残された状態となる。シリンジ５０には、「配合済み」と表示を有するシートが貼付されているので、薬剤を配合済みであることを確実に認識できる。
【００３９】
上側シートを有する薬剤充填済みシリンジ５０には、薬剤情報とともに、「配合済み」の文字表示３３を有するため、薬剤容器１０内の薬剤が添加済みであることを容易に認識できる。なお、この実施例では、「配合済み」の文字表示３３は、透明部により囲まれている。また、上側シート側使用状況表示３３は、シリンジに貼付時において認識可能な色により作成されている。
【００４０】
下側シート２から剥離された上側シート３においては、上側シート側使用状況表示３３（「配合済み」の文字）の周辺は透明とされているので、周辺を透過して透視し得るシリンジ５０と異なる色の上側シート側使用状況表示３３（「配合済み」の文字）は使用者に明確に認識し得ることになる。また、例えば転着後のラベル副片部に筆記用具によって「配合済み」と記載する必要のある表示ラベルと比較して、表示ラベル１では、下側シート２から上側シート３を剥離してシリンジ５０に転着するだけで確実かつ簡便に上側シート側使用状況表示３３（「配合済み」の文字）を表出させることができ、記載を忘れることなどによる誤投与などのおそれが極めて少ない。
【００４１】
一方、薬剤容器１０に貼着されたままの下側シート２においては、上側シート３が剥離された結果、上側シート３のベース部３１により被覆されていた下側シート側使用状況表示２４（「使用済み」の文字）が露出する。よって、使用者は、薬剤容器１０が使用済みであることを明確に認識できる。また、上側シート３を剥離するだけで下側シート側使用状況表示２４が露出するので、特別な作業を要することなく使用者に使用状況を認識させることができる。このため、薬剤をシリンジ１５に混合して「使用済み」となった薬剤容器１０の廃棄等の必要な処理も確実に行わせることができる。
【００４２】
次に、図１２ないし図１６に示すラベル保有薬剤充填済み薬剤容器４０について説明する。
このラベル保有薬剤充填済み薬剤容器４０は、容器本体部４１と、容器本体部内４１に収納された薬剤４８とを有する薬剤収納済み薬剤容器と、薬剤容器に貼付された薬剤容器貼着用薬剤情報表示ラベル１とからなる。なお、薬剤情報表示ラベルとしては、上述したいずれの実施例のものを用いてもよい。図示するものでは、上述したラベル１が用いられている。また、この薬剤容器４０は、使用時に用いられる投与容器であり、剥離された上側シート３が転着されるシリンジ１５とセットとなっている。
【００４３】
そして、容器本体部４１は、開口先端部４５を備える筒状本体部（バレル）であり、薬剤収納済み薬剤容器は、容器本体部４５の開口先端部を封止する封止部４６と、筒状本体部を液密状態にて摺動可能なガスケット４２とを備えている。
容器本体部４１は、先端から基端まで貫通した筒状本体部と、ノズル状の先端開口部４５と、基端に設けられたフランジ４４と、先端開口部４５を被包するカラー部４３とを備える。容器本体部４１としては、開口部を有し、内部に薬剤４８を収納可能なものであれば、どのようなものであってもよい。例えば、硬質もしくは半硬質合成樹脂製容器、ガラス容器など、さらには、上述した外筒の形成材料が使用される。
【００４４】
薬剤としては、用いられるシリンジ１５内に充填された医療用液体１７に溶解可能なものが使用され、粉末状薬剤、凍結乾燥薬剤、固形状薬剤、液状薬剤などどのようなものであってもよい。薬剤としては、例えば、ビタミン剤（総合ビタミン剤）、各種アミノ酸、ヘパリンのような抗血栓剤、インシュリン、抗生物質、抗腫瘍剤、鎮痛剤、強心剤、静注麻酔剤、抗パーキンソン剤、潰瘍治療剤、副腎皮質ホルモン剤、不整脈用剤、ホルモン製剤、インターフェロン製剤、ヒト免疫グロブリン製剤、血液凝固因子製剤、ワクチン製剤などのタンパク製剤等が挙げられる。
【００４５】
そして、容器本体部４１の先端開口部４５には、図１２および図１３に示すように、封止部４６が装着され、容器本体部４１は、液密状態にシールされている。封止部４６は、図１２に示すように、円盤状の本体部と、本体部より突出し、容器本体部４１のカラー部４３と先端開口部４５内に進入可能な筒状部４６ａとを備えている。
【００４６】
シリンジ１５は、外筒６と、外筒６内に収納され、かつ液密状態にて摺動可能なガスケット８と、外筒６内に充填された医療用液体１７と、ガスケット８の基端に取り付けられたプランジャ７と、外筒６のノズル部６２を備える先端部に装着されたアダプタ１６と、アダプタ１６が装着された外筒６の先端部を封止する封止部材９とを備える。
なお、シリンジ１５としては、上記のようなプレフィルドシリンジに限定されるものではなく、通常のシリンジを用いてもよい。この場合、シリンジは、医療用液体が充填されておらず、封止部材も備えないものとなる。なお、このような通常のシリンジ（空シリンジ）を用いる場合には、使用時に、別途用意した生理食塩水、注射用水などの医療用液体を、シリンジ内に吸引した後、使用される。
【００４７】
シリンジ１５の外筒６のノズル部６２は、本体部６１の肩部より先端方向に突出している。さらに、外筒６の先端部は、図１４に示すように、ノズル部６２を被包するカラー部６３を備えている。そして、カラー部６３の内面には外筒側螺合部が形成されている。この実施例では、外筒６は、外筒側螺合部を備え、後述するアダプタ１６の外筒接続部は、外筒側螺合部と螺合可能なアダプタ側螺合部を備えている。
ガスケット８は、図１４に示すようにほぼ同一外径にて延びる本体部と、この本体部に設けられた複数の環状リブを備え、これらリブが、外筒６の本体部６１の内面に液密に接触しながら移動する。ガスケット８は、その基端部にプランジャ装着部を備えている。
【００４８】
プランジャ７は、図１２および図１４に示すように、断面十字状の軸方向に延びる本体部７１と、先端部に設けられたガスケット装着部７２と、本体部の基端部に設けられた押圧部７３とを備えている。
シリンジ１５内に充填される医療用液体１７としては、注射用蒸留水、生理食塩水、ブドウ糖水溶液などの薬剤溶解液、さらには、薬剤（例えば、ビタミン剤、ミネラル類）を含有するとともに、薬剤容器４０内の薬剤の溶解が可能な薬液であってもよい。
【００４９】
そして、アダプタ１６は、図１４および図１５に示すように、一端より他端まで貫通した筒状体であり、一端側に、外筒６の先端部に装着される外筒接続部９５を備え、他端側に、容器本体部４１の先端開口部に接続可能な薬剤容器接続部９４を備える。そして、アダプタ１６が装着された外筒６は、図１４および図１５に示すように、ノズル部６２が露出しないものとなっている。
【００５０】
アダプタ１６の外筒接続部９５は、外筒６のノズル部６２とカラー部６３間に進入可能なものとなっている。さらに、外筒接続部９５の外面には、外筒６の外筒側螺合部と螺合可能なアダプタ側螺合部が設けられている。さらに、アダプタ１６は、内面に設けられ、外筒６のノズル部６２の外面と液密状態にて接触する環状リブを備えている。
【００５１】
アダプタ１６は、他端側に、容器本体部４１の先端開口部の先端部を収納可能な筒状の薬剤容器接続部９４を備える。薬剤容器接続部９４は、容器本体部４１の先端開口部４５とカラー部４３間に進入可能なものとなっている。さらに、アダプタ１６は、容器本体部４１の先端開口部４５の外面と液密状態にて接触する環状リブを備えている。このため、図１５に示すように、アダプタ１６は、容器本体部４１を液密状態にて接続することが可能となっている。
【００５２】
そして、アダプタ１６が接続された外筒６には、図１４に示すように、封止部材９が装着され、外筒６は、液密状態にシールされている。封止部材９は、図１４に示すように、円盤状の本体部９１と、本体部９１の中心部より突出し、アダプタの薬剤容器接続部９４内に進入し、かつ、外筒６のノズル部６２の先端面と当接可能な突出部９２と突出部９２を取り囲むように形成された封止部材カラー部９３を備えている。
【００５３】
次に、この実施例の薬剤容器およびシリンジの使用方法を図１５および図１６を用いて説明する。
薬剤容器４０の封止部４６およびシリンジ１５の封止部材９を離脱し、図１５に示すように、容器本体部４１を外筒６に装着されているアダプタ１６の薬剤容器接続部９４に接続する。そして、ガスケット８に装着されたプランジャ７を外筒６の基端方向に引くことにより、容器本体部４１内が陰圧状態となり、ガスケット４２が移動するとともに、薬剤４８が外筒６内に流入する。そして、必要により、容器本体部４１が接続されたまま、シリンジ１５を振り、薬剤を医療用液体に溶解または混合する。そして、混合終了後、薬剤容器４０のラベル１より、上側シート３を剥離し、シリンジ１５の外筒６の外面に貼付する。そして、シリンジ１５より、薬剤容器４０をアダプタ１６とともに離脱することにより、図１６に示す薬剤が充填されたシリンジ１５の投与準備が完了する。なお、投与する直前まで、薬剤容器４０をシリンジ１５に接続したままでもよい。これにより、混合から投与までの間に、シリンジ１５のノズル部６２から溶解または混合された薬剤が漏れることがない。
【００５４】
なお、薬剤容器は、シリンジ１５のノズル部６２に直接接続可能な先端開口部を有するものでもよい。具体的には、薬剤容器の先端開口部は、ノズル部６２が挿入可能であり、かつ挿入されたノズル部６２と液密に接続可能なメス口形状である。この場合、先端開口部を被包するカラー部４３およびシリンジ１５に接続されるアダプタ１６は省略される。また、先端開口部は、外筒側螺合部と螺合可能な薬剤容器側螺合部を有することが好ましい。
【００５５】
そして、この実施例の薬剤容器４０のような内部に摺動するガスケットを有する薬剤容器にあっては、表示ラベルとしては、図１７に示す薬剤容器４０ａが備える表示ラベル１ｃのようなものであってもよい。
この実施例の表示ラベル１ｃは、容器本体部４１の先端側に位置する剥離を促す剥離促進表示３５を備えている。なお、以下において、前述した実施例と共通の構成については、図面中に同じ符号を付してその説明を省略する。
【００５６】
上述した実施例と同様にこの薬剤容器４０ａにおいても、ガスケット４２は、使用時において、シリンジ１５への薬剤移動に従い、徐々に先端開口部４５方向に移動する。そして、薬剤がすべて移動した状態で、ガスケット４２は、薬剤容器４０ａの本体部４１の先端に到達する。
【００５７】
そして、この実施例の表示ラベル１ｃには、図１７に示すように、表示ラベル１ｂの薬剤容器４０ａの先端側となる端部、すなわち使用時（シリンジ１５との接続時）におけるアダプタ１６となる端部に、容器本体部４１の先端側に位置する剥離を促す剥離促進表示３５が設けられている。この実施例のラベル１ｃでは、剥離促進表示３５は、上側シート３ｃから薬剤容器４０ａの先端側となる端部に延出した延出部３４に付された文字情報（具体的には、「ここまで来たらはがす」）によって構成されている。
【００５８】
また、この実施例のラベル１ｃでは、延出部３４は、平面視における表示ラベル１ｃの本体の上下方向の幅に比べて、その上下方向の幅が短く形成されており、よって、延出部３４の上下方向の隙間から、薬剤の注入操作により移動されたガスケット４２を視認することができるものとなっている。
【００５９】
このような剥離促進表示３５を備えることにより、上側シート３ｃの剥離が必要であること、さらには、剥離時期が、ガスケット４２が当該位置に到達した時であることを使用者に認識させることができる。
すなわち、表示ラベル１ｃを貼着した薬剤容器４０ａをシリンジ１５に接続し、次いで、シリンジ１５のプランジャ７を引いて薬剤容器４０ａ内の薬剤の移動を行う。移動が完了する位置を延出部３４の剥離促進表示３５により確認することができる。この表示により、薬剤移動の完了を確認後に、上側シート３ｃを下側シート２から剥離させて、シリンジ１５に転着することが示唆されている。
【００６０】
このため、薬剤移動前に、上側シートの剥離ならびにシリンジへの貼付が行われることを抑制でき、また、薬剤容器４０ａ側においては、誤って下側シート２の「使用済み」との下側シート側使用状況表示２４を表出させることも抑制でき、さらには、薬剤移動が不十分な状態のまま移動操作を終えてしまうことも低減できる。なお、この表示ラベル１ｃは、ガスケット４２の停止されるべき所定の位置に対応する部位に剥離促進表示３５が位置するように貼り付ける必要がある。
【００６１】
また、この実施例の薬剤容器４０のような内部に摺動するガスケットを有する薬剤容器にあっては、表示ラベルとしては、図１８に示す薬剤容器４０ｂが備える表示ラベル１ｄのようなものであってもよい。
この表示ラベル１ｄは、前述した表示ラベル１ｃと基本的な構成を共通にする。なお、この表示ラベル１ｄでは、延出部３４に透明な透過部３５ａを設け、透過部３５ａを通して、所定位置まで移動されたガスケット４２を確認可能となっている。
【００６２】
また、透過部３５ａ内には「ここまで来たらはがす」との文字から構成される剥離促進表示３５が記載されている。ガスケット４２の移動前においては、この剥離促進表示３５により、ガスケット４２の最終移動位置を確認することができる。また、ガスケット４２が最終移動位置まで移動された際には、剥離促進表示３５により、上側シート３を剥離する旨の注意喚起を促すことができる。剥離促進表示３５により、あらかじめガスケット４２が移動されるべき所定の位置を直接的に認識し得るとともに、透過部３５ａに移動されたガスケット４２を確認することにより、ガスケット４２が所定の位置まで移動されたことを直感的に認識し得る。
【００６３】
なお、この実施例のラベル１ｄでは、透過部３５ａによりガスケット４２を視認可能であるので、延出部３４の幅を小さくして、延出部３４周辺の隙間から、移動されたガスケット４２を確認可能とする必要が無い。よって、例えば、延出部３４の上下幅を大きくすることが可能であり、延出部３４の強度をより確保したり、延出部３４をより簡便に摘んだり、延出部３４ないし剥離促進表示３５の視認性をより向上させるなど、延出部３４及び剥離促進表示としての利便性をより向上させることができる。
【００６４】
また、この実施例の薬剤容器４０のような内部に摺動するガスケットを有する薬剤容器にあっては、表示ラベルとしては、図１９および図２０に示す薬剤容器４０ｃが備える表示ラベル１ｅのようなものであってもよい。
この実施例の表示ラベル１ｅは、容器本体部４１の先端側に位置する剥離を促す剥離促進表示３６を備えている。なお、以下において、前述した実施例と共通の構成については、図面中に同じ符号を付してその説明を省略する。そして、剥離促進表示３６は、当該部位までガスケットが移動することにより、視認容易もしくは視認可能となるものとなっている。
【００６５】
この表示ラベル１ｅは、前述した表示ラベル１ｃと基本的な構成を共通にする。
そして、この実施例のラベル１ｅは、図１９及び図２０に示すように、延出部３４に、剥離促進表示３６が設けられている。剥離促進表示３６は、「はがす」との文字情報となっている。この実施例のラベル１ａでは、剥離促進表示３６は、当該部位にガスケット４２が位置したときに、視認容易もしくは視認可能となるものとなっている。具体的には、剥離促進表示３６は、薬剤を収納した状態における薬剤容器４０ｃの色と識別困難な色であり、かつ、ガスケット４２を収納した状態における薬剤容器４０ｃの色とは、容易に識別可能な色にて作成されている。
【００６６】
このため、図１９に示すように、ガスケット４２が剥離促進表示３６に到達しない状態では、剥離促進表示３６を視認することが困難である。そして、図２０に示すように、ガスケット４２が透過部３６ａに到達することにより、剥離促進表示３６は認識可能となる。このため、薬剤移動の終了後において、剥離が必要であることを確実に認識させることができ、また、薬剤移動前の上側シートの剥離もより確実に防止できる。
【００６７】
また、この実施例の薬剤容器４０のような内部に摺動するガスケットを有する薬剤容器にあっては、表示ラベルとしては、図２１ないし図２３に示す薬剤容器４０ｄが備える表示ラベル１ｆのようなものであってもよい。
この実施例のラベル１ｆでは、下側シート２ｆは、配合前におけるガスケット配置位置に設けられた配合前であることを示す配合前表示２６を備え、配合前表示２６は、ガスケットにより視認が補助されている。
この表示ラベル１ｆでは、図２１および図２２に示すように、下側シート２ｆの薬剤容器４０ｄのフランジ側端部に形成された透過部を備え、さらに、その透明部に配合前表示２６を構成する文字情報「液あり」が付されている。言い換えれば、この実施例の薬剤容器４０ｄでは、表示ラベル１ｆの上記の配合前表示２６が、ガスケット４２上となるように、薬剤容器４０ｄに貼着されている。
【００６８】
この表示ラベル１ｆにおいては、上側シート３ｆは、下側シート２ｆの上記配合前表示２６を被覆しないものとなっている。このため、配合前表示２６は、上側シート３ｆの剥離の前後を問わず、視認可能なものとなっている。
そして、この表示ラベル１ｆにおいては、薬剤移動前（ガスケットの移動前）において、上側シート３ｆを下側シート２ｆから剥離した場合においても、上記配合前表示２６は表示されたままであるので、配合前であることを確認可能である。
【００６９】
なお、配合前表示は、上側シート３ｆの剥離により、露出するものであってもよい。すなわち、上側シート３ｆが、下側シート２ｆの上記配合前表示２６を被覆し、視認不能なものであってもよい。この場合には、薬剤移動前（ガスケットの移動前）において、上側シート３ｆを下側シート２ｆから剥離した時、上記配合前表示２６が視認可能となるので、配合前であることの確認が確実となる。
【００７０】
そして、この実施例のラベル１ｆでは、シリンジ１５への薬剤移動の進行により、ガスケット４２が配合前表示２６と重なる位置、すなわちガスケット４２の初期位置から移動することにより、図２３に示すように、視認性が低下するものとなっている。具体的には、配合前表示２６は、薬剤を収納した状態における薬剤容器４０ｄの色と識別困難な色であり、かつ、ガスケット４２を収納した状態における薬剤容器４０ｄの色とは、容易に識別可能な色にて作成されている。
さらに、この実施例のラベル１ｆでは、図２３に示すように、上述した表示ラベル１ｅと同様に、ガスケット４２が到達することにより、視認可能となる剥離促進表示３６を備えている。
【００７１】
また、この実施例の薬剤容器４０のような内部に摺動するガスケットを有する薬剤容器にあっては、表示ラベルとしては、図２４ないし図２５に示す薬剤容器４０ｅが備える表示ラベル１ｇのようなものであってもよい。
この実施例のラベル１ｇでは、下側シート２ｇは、ガスケット配置位置に設けられた下側シート側使用状況表示２７を備え、下側シート側使用状況表示２７は、ガスケット４２により視認が妨げられるものとなっており、かつ、ガスケット４２の移動後において、視認可能なものとなっている。
【００７２】
この実施例の表示ラベル１ｇは、下側シート側使用状況表示２７が、ガスケット４２上となるように、薬剤容器４０ｅに貼付されている。具体的には、「使用済み」とのを記載した使用状況表示２７を、下側シート２ｇの右側端部寄り、すなわち、薬剤容器４０ｅに表示ラベルを貼着した際に、ガスケットに対応する部位に記載している。
【００７３】
この実施例では、下側シート側使用状況表示２７は、有色文字情報であり、かつ、透明部にて囲まれたものとなっている。なお、逆に、有色領域を形成しその中に透明文字にて文字情報が示されたものであってもよい。
そして、この実施例のラベル１ｇでは、下側シート側使用状況表示２７は、ガスケット４２と重なる位置、すなわちガスケット４２の初期位置では、実質的に視認不能であり、図２５に示すように、ガスケット４２が移動することにより、視認可能となる。具体的には、使用状況表示２７は、薬剤を収納した状態における薬剤容器４０ｅの色と識別可能な色であり、かつ、ガスケット４２を収納した状態における薬剤容器４０ｅの色とは、識別不能な色にて作成されている。
【００７４】
この実施例のラベル１ｇでは、薬剤移動前に、上側シート３ｆを剥離しても、下側シート側使用状況表示２７を視認することができない。このため、誤って、使用前に上側シートを剥離しても、剥離された薬剤容器を使用物であると誤認することがない。そして、ガスケットが移動することにより、下側シート側使用状況表示２７を視認することができる。
さらに、この実施例のラベル１ｇにも、図２５に示すように、上述した表示ラベル１ｅと同様に、ガスケット４２が到達することにより、視認可能となる剥離促進表示３６が設けられている。
【００７５】
そして、本発明のラベル保有薬剤充填済み薬剤容器は、図２６に示すように、プレフィルドシリンジ１００に応用することができる。このプレフィルドシリンジ１００は、直接投与用ではなく、輸液バッグへの混注用として有効である。
プレフィルドシリンジ１００は、外筒６と、外筒６内に収納され、かつ液密状態にて摺動可能なガスケット８と、外筒６内に充填された薬剤と、ガスケット８の基端に取り付けられたプランジャ７と、外筒６のノズル部６２を封止する封止部材１０３と、外筒６の側面に貼付された本発明の表示ラベル１を備える。
表示ラベル１としては、上述したすべての実施例の表示ラベルを用いることができる。
【符号の説明】
【００７６】
１  表示ラベル
２  下側シート
３  上側シート
２２  下側シート側薬剤情報表示
２４  上側シート側使用状況表示
３２  上側シート側薬剤情報表示
３３  上側シート側使用状況表示
【図１】
0006522392.tif 000002
【図２】
0006522392.tif 000003
【図３】
0006522392.tif 000004
【図４】
0006522392.tif 000005
【図５】
0006522392.tif 000006
【図６】
0006522392.tif 000007
【図７】
0006522392.tif 000008
【図８】
0006522392.tif 000009
【図９】
0006522392.tif 000010
【図１０】
0006522392.tif 000011
【図１１】
0006522392.tif 000012
【図１２】
0006522392.tif 000013
【図１３】
0006522392.tif 000014
【図１４】
0006522392.tif 000015
【図１５】
0006522392.tif 000016
【図１６】
0006522392.tif 000017
【図１７】
0006522392.tif 000018
【図１８】
0006522392.tif 000019
【図１９】
0006522392.tif 000020
【図２０】
0006522392.tif 000021
【図２１】
0006522392.tif 000022
【図２２】
0006522392.tif 000023
【図２３】
0006522392.tif 000024
【図２４】
0006522392.tif 000025
【図２５】
0006522392.tif 000026
【図２６】
0006522392.tif 000027